(57)【要約】【課題】サーバの構成や、サーバとの伝送路を何ら変更することなく確実にコンテンツデータを保護することを目的とする。【解決手段】複数の表示装置を組み合わせて画面表示を行う表示制御装置であって、画像コンテンツを入力する入力手段と、組み合わせられた表示装置との通信を行なう通信手段と、画像コンテンツを変換して各表示装置で表示する画面データを作成する作成手段と、各表示装置の認証を行なう表示装置間認証手段と、認証が不成功の表示装置での表示を抑制するよう制御する表示抑制制御手段と、を有することによって前記課題を解決する。【選択図】図３
2007193135.tif 000002
【特許請求の範囲】
【請求項１】
複数の表示装置を組み合わせて画面表示を行う表示制御装置であって、
画像コンテンツを入力する入力手段と、
組み合わせられた表示装置との通信を行なう通信手段と、
前記画像コンテンツを変換して各表示装置で表示する画面データを作成する作成手段と、
前記各表示装置の認証を行なう表示装置間認証手段と、
認証が不成功の表示装置での表示を抑制するよう制御する表示抑制制御手段と、
を有することを特徴とする表示制御装置。
【請求項２】
複数の表示装置を複数グループにグループ化するグループ化手段を更に有し、
前記作成手段と、前記表示装置間認証手段と、前記表示抑制制御手段とは、前記グループ化手段においてグループ化されたグループ内の表示装置に対する処理を行うことを特徴とする請求項１に記載の表示制御装置。
【請求項３】
前記表示抑制制御手段は、認証が不成功だった表示装置を迂回するように各表示装置間の通信経路を設定することを特徴とする請求項１に記載の表示制御装置。
【請求項４】
前記表示抑制制御手段は、認証が不成功だった表示装置の所属するグループの表示を抑制するよう制御することを特徴とする請求項２に記載の表示制御装置。
【請求項５】
前記表示抑制制御手段は、認証が不成功だった表示装置の位置に応じて、表示を抑制する制御方法を切り換えることを特徴とする請求項１に記載の表示制御装置。
【請求項６】
ネットワークを介して通信を行う、前記画像コンテンツを配信する画像コンテンツ配信装置との認証を行う画像コンテンツ配信装置間認証手段を更に有し、
前記画像コンテンツ配信装置に対しては、単一の装置として認証を行うことを特徴とする請求項１乃至５の何れか１項に記載の表示制御装置。
【請求項７】
前記画像コンテンツ配信装置間認証手段は、前記表示装置間認証手段における認証の結果に応じて、前記画像コンテンツ配信装置との認証を行うことを特徴とする請求項６に記載の表示制御装置。
【請求項８】
前記画像コンテンツ配信装置間認証手段は、前記表示装置間認証手段において認証が成功した表示装置の数又は割合が予め定められた閾値異常である場合、前記画像コンテンツ配信装置との認証を行うことを特徴とする請求項７に記載の表示制御装置。
【請求項９】
前記画像コンテンツ配信装置間認証手段は、前記表示装置間認証手段において前記画像コンテンツの特定領域の表示を担当する表示装置との認証が成功した場合、前記画像コンテンツ配信装置との認証を行うことを特徴とする請求項７に記載の表示制御装置。
【請求項１０】
複数の表示装置を組み合わせて画面表示を行う表示制御装置における表示制御方法であって、
画像コンテンツを入力する入力ステップと、
組み合わせられた表示装置との通信を行なう通信ステップと、
前記画像コンテンツを変換して各表示装置で表示する画面データを作成する作成ステップと、
前記各表示装置の認証を行なう表示装置間認証ステップと、
認証が不成功の表示装置での表示を抑制するよう制御する表示抑制制御ステップと、
を有することを特徴とする表示制御方法。
【発明の詳細な説明】
【技術分野】
【０００１】
本発明は、表示制御装置及び表示制御方法に関する。
【背景技術】
【０００２】
従来、複数個のディスプレイユニットを結合して画面の表示を行なう表示システムとして、業務用のマルチスクリーンディスプレイ装置が知られている。業務用のマルチスクリーンディスプレイ装置とは、例えばビル屋上等に設置する超大画面のディスプレイ装置として実現され、企業広告等、各種動画像の表示を行なうものである。表示パネルの構成は、直接に画素を敷き詰めて超大画面を実現する方法と、複数のディスプレイユニットを組み合わせる方法とに大別される。
【０００３】
複数のディスプレイユニットを組み合わせる方法を更に説明する。表示パネルはプロジェクタやＣＲＴ等、各方式のディスプレイユニットを隣接するように積み重ねて構成する。各ユニットの制御は、マルチディスプレイコントローラを別途設けて集中制御する場合と、それぞれのディスプレイユニットに内蔵されたコントローラが制御する場合とがある。
【０００４】
マルチディスプレイコントローラで集中制御する場合を説明すると、コントローラは映像ソースサーバと接続されると共に、各ディスプレイユニットとも１対１で接続されている。映像ソースサーバから入力した映像コンテンツデータは、コントローラ内で展開された後にディスプレイユニット数の画像に分割され、パネルサイズに合せた拡大処理等が行なわれてから、それぞれのディププレイユニットに伝送される。各ディスプレイユニットは受信したデータをそのまま表示するだけで、超大画面の表示を行なうことができる。
【０００５】
各ディスプレイユニットの内蔵コントローラで制御する場合を説明すると、各ユニット内のコントローラは映像ソースユニットと１対１で接続されている。映像ソースユニットから入力した映像コンテンツデータは、各ユニット内のコントローラで展開される。その後に、それぞれのユニットの位置に応じて画面を切り出し、拡大処理してユニットのパネルサイズに合せてから表示が行なわれる。
【０００６】
マルチディスプレイ装置での表示制御方法としては、例えば下記のものがある。
（１）表示可能な画素数に解像度変換し、拡大された画像データを、マルチディスプレイを構成する複数の表示手段に対応させて切出し、切出された画像データに対応する表示手段に表示させる方法が考案されている（例えば、特許文献１参照）。
（２）ある表示ユニットに故障が生じた場合、故障した表示ユニットを避けるように画像を縮小して表示する方法が考案されている（例えば、特許文献２参照）。
（３）ある表示ユニットに故障が生じた場合、故障した表示ユニットに係る部分をウィンドウ化し、これを正常動作表示領域へ移動して表示できるようにする方法が考案されている（例えば、特許文献３参照）。
【０００７】
一方、映像ソースを伝送する場合には、不正使用を防ぐために各種のデータ保護方法が実現されている。例えば、ＩＥＥＥ１３９４インタフェースでは、ＤＴＣＰと呼ばれるコピーガード制御を付加することができる。ここで、ＤＴＣＰとは、Ｄｉｇｉｔａｌ  Ｔｒａｎｓｍｉｓｓｉｏｎ  Ｃｏｎｔｅｎｔ  Ｐｒｏｔｅｃｔｉｏｎの略である。
【０００８】
また、デジタルＴＶのデータ伝送に用いられるＨＤＭＩインタフェースでは、ＨＤＣＰと呼ばれるコピーガード制御が実現されている。ここで、ＨＤＣＰとは、Ｈｉｇｈ  Ｄｅｆｉｎｉｔｉｏｎ  Ｃｏｎｔｅｎｔ  Ｐｒｏｔｏｃｏｌの略である。
【０００９】
これらは、映像ソースサーバと、表示装置（クライアント）との間で相互認証を行ない、コピー制限の付いたコンテンツは認証できた場合にのみ供給を行なう。更に、伝送されるデータは暗号化されており、認証されたクライアントでのみ暗号解除できるようになっている。また、ネットワーク上でデータ伝送する場合は、ＳＳＬやＩＰ−Ｓｅｃ、ＶＰＮ等の各種暗号方式を用いたデータ保護方法が実現されている。ここで、ＶＰＮとは、Ｖｉｒｔｕａｌ  Ｐｒｉｖａｔｅ  Ｎｅｔｗｏｋの略である。
【００１０】
マルチディスプレイ装置でのデータ保護方法としては、下記のものがある。
（４）表示部と、変換部と、記憶部とを備えた複数個の処理装置を伝送路に接続し、各表示部を組み合わせて大画面表示を行なう方法が考案されている。入力された映像データは、変換部上の仮想機械で表示用データ形式に変換して記憶され、隣接する装置は伝送路経由で記憶部からデータを読み出して表示を行なう。伝送路の例としてＩＥＥＥ１３９４が開示されている（例えば、特許文献４参照）。
（５）表示画面を備えた携帯端末で、他の端末との間の通信を確立した後にデータを送信し、自己の画面表示に関連する情報を他の端末に表示させる方法が考案されている（例えば、特許文献５参照）。
【００１１】
【特許文献１】特開平０８−３２８５１９号公報
【特許文献２】特開平０８−６５３２号公報
【特許文献３】特開２０００−３１０９８２号公報
【特許文献４】特開２０００−３３０５３５号公報
【特許文献５】特開２００３−６１１４０号公報
【発明の開示】
【発明が解決しようとする課題】
【００１２】
しかしながら、従来例では、システム内でのデータ保護が十分でないという問題があった。例えば、上述した従来例（１）〜（４）ではデータ保護は全く行なわれておらず、著作権保護が必要なコンテンツの伝送に問題があった。つまり、不正使用者は、表示ユニットの接続インタフェースに接続するだけでデータの不正取得ができてしまう問題があった。
【００１３】
また、上述した従来例（５）は、一対の端末機間の協調表示の方法であり、それ以上の台数の場合は考慮されていない問題があった。サーバと、各表示ユニットとが個別に協調してデータ保護する場合、サーバがマルチディスプレイの表示ユニット構成を一々認識しておかなければならない。よって、表示ユニット数が増えるとサーバの処理負荷も過大となる問題があった。
【００１４】
本発明は前記の問題点に鑑みなされたもので、サーバの構成や、サーバとの伝送路を何ら変更することなく確実にコンテンツデータを保護することを目的とする。
【課題を解決するための手段】
【００１５】
そこで、前記問題を解決するため、本発明は、複数の表示装置を組み合わせて画面表示を行う表示制御装置であって、画像コンテンツを入力する入力手段と、組み合わせられた表示装置との通信を行なう通信手段と、前記画像コンテンツを変換して各表示装置で表示する画面データを作成する作成手段と、前記各表示装置の認証を行なう表示装置間認証手段と、認証が不成功の表示装置での表示を抑制するよう制御する表示抑制制御手段と、を有することを特徴とする。
【００１６】
また、前記問題を解決するため、本発明は、表示制御方法としてもよい。
【発明の効果】
【００１７】
本発明によれば、サーバの構成や、サーバとの伝送路を何ら変更することなく確実にコンテンツデータを保護することができる。
【発明を実施するための最良の形態】
【００１８】
以下、本発明の実施形態について図面に基づいて説明する。
【００１９】
マルチディスプレイシステム（マルチディスプレイ装置）は、複数の表示ユニットを結合した表示面と、全体制御を行なう全体制御コントローラとで構成される。マルチディスプレイシステムは、表示開始時や着脱を検出したときに表示ユニットの認証を行ない、不適合表示ユニットが存在した場合は、不適合表示ユニットの属するグループを表示禁止する、という動作を行なう。
【００２０】
＜マルチディスプレイシステムの画面例（図１）＞
図１を用いて、本実施形態のマルチディスプレイシステムにおける表示画面例を説明する。図１は、マルチディスプレイシステムの表示画面の一例を示す図である。
【００２１】
図１（ａ）は、画像コンテンツの画面例を表す図である。５０は、コンテンツ画面であり、家と、人とのオブジェクトで構成されている。
【００２２】
図１（ｂ）は、コンテンツ画面５０をマルチディスプレイシステムで表示したときの表示画面の一例である。５１は、表示ユニットであり、ＬＣＤやプラズマ等各種方式のモニタディスプレイである。本実施形態では、表示ユニットを１６個結合して一つの画面を構成するものとして説明を行う。但し、このことは本発明の実施を制限するものでは無い。図１（ｂ）に示されるように、表示ユニット５１を１６個結合した表示面にコンテンツ画面５０が表示されている。
【００２３】
図１（ｃ）は、全体制御コントローラが認証できない、不適合表示ユニットが存在した場合の表示画面の一例である。不適合表示ユニットが混在した場合、コンテンツ保護の観点からデータの流出を防止する必要がある。例えば、表示ユニット５２が不適合ユニットであった場合、全体制御コントローラは、表示ユニット５２へのデータ供給を禁止する。また、複数の表示ユニットがグループ化されて通信路を共有している場合、全体制御コントローラは、不適合ユニットを含むグループへのデータ供給を禁止する。図１では、行方向の表示ユニットがグループ化されており、領域５３へのデータ供給が禁止されている。
【００２４】
（実施形態１）
＜マルチディスプレイシステムの構成の説明（図２）＞
図２のブロック図を用いて、本実施形態のマルチディスプレイシステム２２の全体構成を説明する。図２は、実施形態１におけるマルチディスプレイシステム２２の概略構成を示すブロック図である。マルチディスプレイシステム２２は、ネットワーク２０を介してコンテンツサーバ２１から画像コンテンツを受信して表示を行なう。なお、上述したように、本実施形態では、マルチディスプレイシステム２２は、表示を、４行×４列の表示ユニットを結合した画面で行なうものとして説明を行う。
【００２５】
２０は、ネットワークである。２１は、コンテンツサーバであり、クライアントの要求に応じて蓄積してある画像コンテンツをクライアントにストリーミング配信する。２２は、マルチディスプレイシステムであり、クライアントとして動作し、コンテンツサーバ２１から配信されるストリーミングコンテンツを受信して画像を表示する。
【００２６】
コンテンツサーバ２１と、マルチディスプレイシステム２２との間は、著作権保護が必要な画像コンテンツを伝送する。そのため、両者は接続時に相互認証を行ない、ストリーミングデータも暗号化して伝送される。例えば、ＤＴＣＰ−ＩＰでは、コンテンツサーバ２１又はマルチディスプレイシステム２２は、認証機関の発行する証明書を、公開鍵を用いて認証する。ここで、ＤＴＣＰ−ＩＰとは、Ｄｉｇｉｔａｌ  Ｔｒａｎｓｍｉｓｓｉｏｎ  Ｃｏｎｔｅｎｔ  Ｐｒｏｔｅｃｔｉｏｎ  ｆｏｒ  Ｉｎｔｅｒｎｅｔ  Ｐｒｏｔｏｃｏｌの略である。証明書を、公開鍵を用いて認証した後、コンテンツサーバ２１と、マルチディスプレイシステム２２とは、データ暗号用の鍵を交換し、暗号化したデータで通信を行なう。なお、本実施形態において、暗号・データ保護方式は、公知の任意の方式が応用できる。例えば、ＶＰＮ（Ｖｉｒｔｕａｌ  Ｐｒｉｖａｔｅ  Ｎｅｔｗｏｒｋ）や、ＩＰ−Ｓｅｃ等を用いてもよい。
【００２７】
マルチディスプレイシステム２２において、２３は、全体制御コントローラであり、マルチディスプレイシステム２２内部の全体制御を行なう。例えば、全体制御コントローラ２３は、コンテンツサーバ２１からのコンテンツ入力や展開、各表示ユニットに対応する画像の分割と、各表示ユニットへの分配伝送等を行なう。
【００２８】
２４〜２７は、表示ユニットへ画像データの伝送を行なう伝送路である。図２では４本のネットワークで構成され、それぞれが横方向に隣接する表示パネルにデータ等を供給するようになっている。２８は、表示ユニットであり、４行×４列の計１６個の表示ユニットで画面が構成される。全体制御コントローラ２３は、各ネットワークに接続されている表示ユニットを単位グループとして扱い、例えば、グループ毎にデータ供給するか否かの制御を行なう。
【００２９】
全体制御コントローラ２３と、各表示ユニット２８との間は、ユニット認証と、データ暗号化とによってデータ保護を行なう。つまり、全体制御コントローラ２３と、各表示ユニット２８との間で相互認証を行ない、全体制御コントローラ２３は、認証できない表示ユニットの存在するグループには、データ供給を行なわないようにする。また、全体制御コントローラ２３は、データ供給するグループに対しても暗号化を施してデータ伝送を行なう。
【００３０】
データ供給されるグループには認証済みの表示ユニット２８しか存在しないため、表示ユニット２８に係る暗号方式は、コンテンツサーバ２１に係る暗号方式と異なっていてもよい。処理負荷の軽い暗号方式を使用することで、全体制御コントローラ２３への要求性能を緩和することができる。
【００３１】
表示ユニット２８の接続は、例えば複数の表示ユニット２８を取り付けられるような枠状のガイド部材を準備して、これに取り付けるようにする。４×４の表示ユニット２８を支持できるガイド部材に表示ユニット２８を嵌め込み、電源や信号を接続することで表示面を構成する。
【００３２】
取り付け位置に応じてユニークな識別子を表示ユニット２８に割り当てておくことで、全体制御コントローラ２３は、個別の表示ユニット２８の識別と、位置特定とを行なう。もちろん、表示ユニット２８にスイッチ等を設けておいて、ユーザが個別に指定できるようにしてもよい。
【００３３】
また、表示ユニット２８はガイド部材から動的な着脱が可能である。検出ピンや信号レベル変化等任意の方法で着脱が検出され、全体制御コントローラ２３へ通知が行なわれる。着脱通知されると、全体制御コントローラ２３は、後述のフローチャートに従って再認証の処理を行なう。
【００３４】
＜全体制御コントローラの構成の説明（図３）＞
図３を用いて、本実施形態における全体制御コントローラ２３の構成を説明する。図３は、全体制御コントローラ２３の概略構成を示すブロック図である。
【００３５】
３１は、サーバインタフェース（Ｉ／Ｆ）部であり、ネットワーク２０と接続して、コンテンツサーバ２１からの画像ストリームデータの入力を行なう。３２は、暗号デコード部であり、受信したストリームデータにかけられた暗号を解除する。３３は、展開・画像処理部であり、圧縮形式で伝送されたストリームデータを展開すると共に、画質改善に係る各種の画像処理を行なう。圧縮形式の展開としては、ＭＰＥＧ２やＭＰＥＧ４、Ｈ．２６４等各種の方式が使用される。また、展開・画像処理部３３は、画像処理として、各種の歪みや劣化補正、エッジ等の強調、色補正等を行なう。
【００３６】
３４は、分割・パッキング部であり、表示ユニット２８の個数と、組合された形状とに応じて、画像を分割してパッキングする。３５は、暗号エンコード部であり、各表示ユニット２８向けに分割されたデータを暗号化する。３６は、ユニット通信インタフェース（Ｉ／Ｆ）部であり、マルチディスプレイシステム２２内の表示ユニット２８を接続するネットワークを介して各表示ユニット２８へ表示データを出力する。また、ユニット通信インタフェース部３６は、表示ユニット２８との間で認証データの入出力を行なう。
【００３７】
３７は、サーバ認証制御部であり、著作権コンテンツの受信を可能にするために、コンテンツサーバ２１との認証を行なう。例えば、ＤＴＣＰ−ＩＰで完全認証する場合、サーバ認証制御部３７は、相手の証明書を公開鍵で検証した後に認証鍵を共有し、認証鍵の共有情報を、デジタル署名を付加して、コンテンツサーバ２１と相互に検証する。３８は、表示ユニット認証制御部であり、マルチディスプレイシステム２２内部でのデータ不正使用を防ぐために表示ユニット２８との認証を行なう。表示ユニット認証制御部３８は、サーバ認証制御部３８と同様の認証方法によってもよいし、他の方法を用いてもよい。３７は、全体制御部であり、全体制御コントローラ２３を構成する各ブロックの調停等各種の制御を行なう。
【００３８】
＜表示ユニットの構成の説明（図４）＞
図４を用いて、本実施形態の表示ユニット２８の構成を説明する。図４は、実施形態１における表示ユニット２８の概略構成を示すブロック図である。
【００３９】
４１は、ユニット通信インタフェース（Ｉ／Ｆ）部であり、全体制御コントローラ２３から送られてくる表示データの入力を行なう。また、ユニット通信インタフェース部４１は、全体制御コントローラ２３との間で認証データの入出力を行なう。４２は、暗号デコード部であり、入力した表示データにかけられている暗号を解除する。
【００４０】
４３は、展開部であり、平文化された画像データの展開処理を行なう。展開部４３は、後述する表示パネル４５のデータ表現形式に合せて、画像データを変換すると共に、パネルの解像度に合せて拡大する。展開部４３は、例えば、色差形式（Ｙ／Ｃ）で受け取ったデータを、表示パネル４５の表現形式に合せてＲＧＢ形式のデータに変換する。また、展開部４３は、同様に解像度も変換する。例えば、ハイビジョン画像は１９２０×１０８０画素で構成されるが、１６画面に分割すると４８０×２７０画素になる。表示ユニット２８がハイビジョンと同一の解像度を持っている場合、展開部４３は、縦４倍、横４倍の拡大変換を行なう。その他、展開部４３は、表示パネル４５の特性に合せた画像処理を行なってもよい。
【００４１】
４５は、表示パネルであり、表示パネル４５向けに伝送されてきた画像データの表示を行なう。表示パネル４５として、例えばＬＣＤやプラズマ、ＳＥＤ等任意の方式の表示デバイスを使用することができる。また、表示パネル４５は、投射型のデバイスであってもよい。
【００４２】
４４は、パネル制御部であり、表示パネル４５の駆動制御を行なう。パネル制御部４４は、水平・垂直同期信号やデータ転送クロック等の駆動信号の出力と、それに同期させた画素データの出力を行なう。パネル制御部４４は、展開部４３から入力した画素データを、不図示のＶＲＡＭに格納し、駆動信号のタイミングに同期して読み出して出力する。４６は、認証制御部であり、全体制御コントローラ２３との認証を行なう。４７は、全体制御部であり、表示ユニット２８を構成する各ブロックの調停等各種制御を行なう。
【００４３】
＜認証処理の流れの説明（図５）＞
図５のフローチャートを用いて、全体制御コントローラ２３が表示開始時に行なう認証処理の流れを説明する。図５は、実施形態１における認証処理の流れを示すフローチャートである。以下に示すように、全体制御コントローラ２３は、グループ毎に表示ユニット２８の認証を行なって、全ユニットが認証できた場合、そのグループに対して表示を許可する。全体制御コントローラ２３は、ユニット認証が終了した後にサーバ認証を開始し、サーバ認証の終了後にストリームの送付要求を行なう。
【００４４】
ステップｓ２０１において、全体制御コントローラ２３は、表示ユニット２８の全グループの表示出力を「禁止」に設定する。続いて、ステップｓ２０２において、全体制御コントローラ２３は、どのグループにどの表示ユニット２８が接続されているか、表示面の形状検出を行なう。
【００４５】
ステップｓ２０３において、全体制御コントローラ２３は、表示ユニット２８が接続されているグループ毎に、表示ユニット２８の認証を行なう。例えば、全体制御コントローラ２３は、表示画面の最上段を構成する表示ユニット２８のグループから認証を行なっていく。
【００４６】
ステップｓ２０４において、全体制御コントローラ２３は、グループ内の全表示ユニット２８の認証が成功したか否かを判定する。全体制御コントローラ２３は、グループ内の全表示ユニット２８の認証が成功したと判定すると、ステップｓ２０５へ進み、グループ内の全表示ユニット２８の認証が成功しなかったと判定すると、ステップｓ２０７へ進む。
【００４７】
ステップｓ２０５において、全体制御コントローラ２３は、各表示ユニット２８との間で暗号鍵の交換と、設定とを行なう。ステップｓ２０６において、全体制御コントローラ２３は、全表示ユニット２８の認証が成功したグループの属するネットワークへのデータ伝送を「許可」、又は前記グループに属する全表示ユニット２８の表示出力を「許可」に設定する。全体制御コントローラ２３は、ユニット通信インタフェース３６に対して直接「許可」の設定を行ってもよいし、制御ソフトウェア上に「許可」の設定を行なってもよい。
【００４８】
ステップｓ２０７において、全体制御コントローラ２３は、全グループのグループ内認証が終わったか否かを判定する。全体制御コントローラ２３は、全グループのグループ内認証が終わったと判定すると、ステップｓ２０８へ進み、全グループのグループ内認証が終わっていないと判定すると、ステップｓ２０３へ戻って次のグループのグループ内認証を行なう。
【００４９】
上述した処理によって、表示面を構成する全表示ユニット２８の認証が終了する。
【００５０】
続くステップｓ２０８において、全体制御コントローラ２３は、コンテンツサーバ２１との認証を行なう。全体制御コントローラ２３は、上述したＤＴＣＰ−ＩＰ等のコンテンツサーバ２１との間で規定された認証手続きに従って認証処理を行なう。
【００５１】
続いてステップｓ２０９において、全体制御コントローラ２３は、コンテンツサーバ２１との暗号鍵の交換と、設定とを行なう。続いて、ステップｓ２１０において、コンテンツサーバ２１に対して画像データストリームの送付要求を行ない、図５に示す認証処理を終了する。
【００５２】
図５に示される処理によって、全体制御コントローラ２３は、表示開始時に、不正利用の可能性のあるデバイス（表示ユニット２８）を含むグループを取り除いてから、サーバ認証処理を行なうことができる。
【００５３】
＜表示ユニット挿入時の処理の流れの説明（図６）＞
次に、図６のフローチャートを用いて、認証が成功したグループに表示ユニット２８が増設されたときに全体制御コントローラ２３が行なう再認証処理の流れを説明する。図６は、表示ユニット挿入時の再認証処理の流れを示すフローチャートである。以下に示すように、全体制御コントローラ２３は、表示動作中に新たな表示ユニット２８がマルチディスプレイシステム２２に挿入（新たに増設）された場合、認証を開始する。そして、全体制御コントローラ２３は、認証に成功すれば増設された表示ユニット２８をマルチディスプレイシステム２２（又は所定のグループ）に追加し、認証が不成功ならば増設された表示ユニット２８に係るグループの表示を禁止する処理を行なう。
【００５４】
ステップｓ２２０において、全体制御コントローラ２３は、増設表示ユニット（増設ユニット）がどの表示ユニット２８であるかを検出する。全体制御コントローラ２３は、例えば、着脱センサの出力結果を判定することで増設表示ユニットの位置の検出を行なう。
【００５５】
ステップｓ２２１において、全体制御コントローラ２３は、増設された表示ユニット２８に対して認証を行なう。ステップｓ２２２において、全体制御コントローラ２３は、増設表示ユニットに対する認証が成功したか否かを判定する。全体制御コントローラ２３は、増設表示ユニットに対する認証が成功したと判定すると、ステップｓ２２３に進み、増設表示ユニットに対する認証が失敗したと判定すると、ステップｓ２２４に進む。
【００５６】
ステップｓ２２３において、全体制御コントローラ２３は、増設表示ユニットを含むグループとの間で暗号鍵交換と、設定とを行なう。そして、全体制御コントローラ２３は、図６に示す処理を終了する。
【００５７】
一方、ステップｓ２２４において、全体制御コントローラ２３は、増設表示ユニットを含むグループのデータ供給を「禁止」に設定し、図６に示す処理を終了する。
【００５８】
図６に示した処理により、表示ユニット２８が挿入されたときに、挿入された表示ユニット２８を含むグループの認証を行なうことができる。そして、前記グループの認証が成功した場合は、例えば、前記グループの属するネットワークに対して、データ転送を許可し、前記グループの認証が不成功の場合は、例えば、前記グループの属するネットワークに対して、データ供給を禁止することができる。
【００５９】
＜表示ユニット抜去時の処理の流れの説明（図７）＞
次に、図７のフローチャートを用いて、表示ユニットが抜き去られたときに全体制御コントローラ２３が行なう再認証処理の流れを説明する。図７は、表示ユニット抜去時の再認証処理の流れを示すフローチャートである。
【００６０】
以下に示すように、全体制御コントローラ２３は、表示動作中に表示ユニット２８がマルチディスプレイシステム２２から抜き取られた場合、認証を開始する。そして、全体制御コントローラ２３は、例えば、表示禁止されていたグループ内の認証不成功ユニットが無くなったか否かを判断し、無くなっていれば表示許可する等の処理を行なう。
【００６１】
ステップｓ２３０において、全体制御コントローラ２３は、抜去表示ユニット（抜去ユニット）がどの表示ユニット２８であるかを検出する。全体制御コントローラ２３は、例えば、着脱センサの出力結果を判定することで抜去表示ユニットの位置検出を行なう。
【００６２】
ステップｓ２３１において、全体制御コントローラ２３は、抜去表示ユニットが属していたグループが表示を禁止されていたグループ（表示禁止グループ）であったか否かを判定する。全体制御コントローラ２３は、抜去表示ユニットが属していたグループが表示禁止グループであったと判定すると、ステップｓ２３２に進み、抜去表示ユニットが属していたグループが表示禁止グループでなかったと判定すると、図７に示す処理を終了する。
【００６３】
ステップｓ２３２において、全体制御コントローラ２３は、改めて、抜去表示ユニットが属していたグループ内の全ユニットの認証処理を行なう。ステップｓ２３３において、全体制御コントローラ２３は、抜去表示ユニットが属していたグループ内の全表示ユニットの認証が成功したか否かを判定する。全体制御コントローラ２３は、抜去表示ユニットが属していたグループ内の全表示ユニットの認証が成功したと判定すると、ステップｓ２３４に進む。また、全体制御コントローラ２３は、抜去表示ユニットが属していたグループ内の全表示ユニットの認証が成功しなかったと判定すると、図７に示す処理を終了する。
【００６４】
ステップｓ２３４において、全体制御コントローラ２３は、抜去表示ユニットが属していたグループ内の全表示ユニットとの間で暗号鍵の交換と、設定とを行なう。続いて、ステップｓ２３５において、全体制御コントローラ２３は、抜去表示ユニットが属していたグループの属するネットワークへのデータ伝送を「許可」、又は前記グループに属する全表示ユニット２８の表示出力を「許可」に設定し、処理を終了する。
【００６５】
図７に示した処理により、表示ユニット２８が抜き去られたときに、抜きさられた表示ユニット２８を含むグループが、認証に失敗した表示ユニット２８を含むグループか否かを判定することができる。そして、抜きさられた表示ユニット２８を含むグループが、認証に失敗した表示ユニット２８を含むグループであった場合、グループ内の全ての表示ユニット２８を再度認証することができる。そして、全ての表示ユニット２８の認証が成功した場合、例えば、前記グループに対して、表示許可する等の処理を行なうことができる。
【００６６】
以上説明したように本実施形態によれば、認証不成功な表示ユニット２８が接続されたグループの表示を禁止することで、コンテンツサーバ２１等を何ら変更することなく確実なデータ保護ができる。特に、本実施形態では不適合な表示ユニット２８に対して物理的にデータ供給を遮断できるので、より確実なデータ保護の効果がある。
【００６７】
なお、本実施形態では、コンテンツ画像を用いて説明を行なったが、コンテンツサーバ２１から配信されるデータ、又はマルチディスプレイシステム２２が表示対象とするデータは、放送コンテンツであってもよい。例えば、コンテンツサーバ２１を放送局、ネットワーク２０を放送波、サーバＩ／Ｆ部３１をチューナと置き換えて構成することで、放送コンテンツの配信又は表示を行なうことができる。
【００６８】
また、本実施形態では、表示ユニット２８の結合にガイド部材を用いた例を説明した。しかしながらこのことは本発明の実施を制限するものではなく、任意の方法で行なってよい。例えば、各表示ユニット２８に、相互で嵌合するような機構を備えておいて、各表示ユニット２８を結合するようにしてもよい。また、嵌合機構に、電源や電気信号を接続するコネクタを設けておいてもよい。
【００６９】
また、表示ユニット２８をグループ化する形状は任意の形状でよい。本実施形態では行単位でグループ化したが、列方向や斜め方向であってもよい。
【００７０】
（実施形態２）
実施形態１では、マルチディスプレイシステム２２内の通信路単位でグループ化し、不適合ユニット（認証に失敗した表示ユニット２８）の存在するグループを表示禁止する構成を説明した。本実施形態では、不適合ユニットのみを表示禁止する例を説明する。全体制御コントローラ２３は、不適合ユニットを迂回してデータ伝送するようにグループ化と、ルーティング動作とを行なう。
【００７１】
＜表示ユニットの構成の説明（図８〜１０）＞
本実施形態では、表示ユニット２８が複数の入出力インタフェースを備え、複数の入出力インタフェースを切り換えて処理を行うことでマルチディスプレイシステム２２内のデータ伝送路を実現する。
【００７２】
図８は、表示ユニット２８のインタフェース機構８１の概略構成を示すブロック図である。図８に示されるように、表示ユニット２８のインタフェース機構８１において、上下左右の四方にインタフェースが配されている。６０は、インタフェース（左）、６１は、インタフェース（上）、６２は、インタフェース（下）、６３は、インタフェース（右）である。６４は、インタフェーススイッチ（ＩＦ  ＳＷ）であり、インタフェース６０〜６３の接続を任意に組み換えて接続する。
【００７３】
図９は、表示ユニット２８の結合の様子を示す図である。７０〜７３は、それぞれが表示ユニットである。図９では、４つの表示ユニット２８が結合された様子を表している。各表示ユニット２８の隣接するインタフェースを結合することで、データ伝送路が形成される。表示ユニット７０と、７１とを結合して伝送路７５が形成され、表示ユニット７０と、７２と、７３とを結合して伝送路７６が形成される。
【００７４】
図１０は、実施形態２における表示ユニット２８の概略構成を示すブロック図である。８０は、表示ユニット２内の制御機構であり、実施形態１の図４の表示ユニット２８と同一の構成である。内部のブロックは同一であるので本実施形態において、説明は省略する。８１は、表示ユニット２８のインタフェース機構である。上述したように、６０は、インタフェース（左）、６１は、インタフェース（上）、６２は、インタフェース（下）、６３は、インタフェース（右）、６４は、インタフェーススイッチである。インタフェース６０〜６３は、自身に他の表示ユニット２８が接続されているか否かの検出を行なう。インタフェーススイッチ６４の切り換えは、全体制御コントローラ２３からの設定指示によって全体制御部４７が制御する。また、表示ユニット２８自身のデータ入出力は、６０〜６３のインタフェースからインタフェーススイッチ６４、ユニット通信インタフェース部４１を介して行なう。
【００７５】
＜マルチディスプレイシステムの伝送路切換え制御の説明（図１１〜１２）＞
次に、マルチディスプレイシステム２２の伝送路切換え制御を説明する。図１１は、マルチディスプレイシステム２２の伝送路の一例を示す図である。図１１では、全表示ユニット２８の認証成功した場合の伝送路の一例が示されている。各表示ユニット２８が横方向に隣接するインタフェースを結合することで、４本のデータ伝送路が形成されている。表示ユニット１０１〜１０４を結合して伝送路１２１が形成されている。また、表示ユニット１０５〜１０８を結合して伝送路１２２が形成されている。また、表示ユニット１０９〜１１２を結合して伝送路１２３が形成されている。また、表示ユニット１１３〜１１６を結合して伝送路１２４が形成されている。
【００７６】
図１２は、認証不適合の表示ユニットが存在した場合のマルチディスプレイシステム２２の伝送路の一例を示す図である。図１２では、表示ユニット１０６が認証不適合であった場合の一例が示されている。この場合にも、図１２に示されるように、４本のデータ伝送路が形成されている。表示ユニット１０１〜１０４を結合して伝送路１３１が形成されている。また、表示ユニット１０７〜１０８を結合して伝送路１３２が形成されている。
【００７７】
また、表示ユニット１０９〜１１２を結合して伝送路１３３が形成されている。また、表示ユニット１１３〜１１６を結合して伝送路１３４が形成されている。即ち、伝送路１３２は、表示ユニット１０６を迂回するように形成されている。
【００７８】
以上のように、インタフェーススイッチ６４が、表示ユニット２８のインタフェース接続を切り換える。よって、不適合の表示ユニット２８を迂回するようにデータ伝送路を形成することができる。
【００７９】
＜認証処理の流れの説明（図１３）＞
図１３のフローチャートを用いて、全体制御コントローラ２３が表示開始時に行なう認証処理の流れを説明する。図１３は、実施形態２における認証処理の流れを示すフローチャートである。以下に示すように、全体制御コントローラ２３は、表示ユニット２８の認証を行ない、認証不適合の表示ユニット２８を迂回するようにデータ伝送路を設定する。そして、その後、全体制御コントローラ２３は、サーバ認証を開始し、コンテンツサーバ２１の認証後にストリームの送付要求を行なう。
【００８０】
ステップｓ２５０において、全体制御コントローラ２３は、表示ユニット２８が結合されている形状の検出を行なう。例えば、全体制御コントローラ２３は、各表示ユニット２８との間で問い合せコマンドのやり取りを行なって形状の検出を行なう。例えば、全体制御コントローラ２３は、水平方向と、垂直方と向の２段階で行なう。そして、全体制御コントローラ２３は、表示ユニット２８が結合されている形状の角と、辺とをそれぞれ検出し、検出した角と、辺とを基準として形状を検出する。
【００８１】
全体制御コントローラ２３は、各表示ユニット２８の初期の識別子として、例えば製造番号やＭＡＣアドレス等の機器毎にユニークな番号を用いる。水平方向から説明すると、まず、全体制御コントローラ２３は、角や辺に位置する表示ユニット２８を特定する。例えば、全体制御コントローラ２３は、各表示ユニット２８に問い合せを送り、右、右＋上、右＋下に接続がない表示ユニット２８を基準ユニットとし、この基準ユニットに仮の識別子を与えることで、角や辺に位置する表示ユニット２８を特定する。
【００８２】
次に、全体制御コントローラ２３は、各表示ユニット２８に、角／右辺の基準ユニットに対して水平方向に問い合せを送らせ、何ユニット隔たっているかを検出する。全体制御コントローラ２３は、表示ユニット２８を経由する度に、問い合せパケットに設けた計数フィールドに所定値を加算させることによって、何ユニット隔たっているかを検出する。全体制御コントローラ２３は、ある表示ユニット２８と、この表示ユニット２８が送った前記問い合わせに返答のあった基準ユニットとは、同じ行に属し、前記問い合わせに返答の無かった基準ユニットとは、別の行にあることが分かる。これにより、全体制御コントローラ２３は、行方向にどのように表示ユニット２８が配列されているかが判明する。
【００８３】
次に、全体制御コントローラ２３は、垂直方向の検出を行なう。全体制御コントローラ２３は、角の基準ユニットから上辺と、下辺とを構成する行は分かるので、例えば、上辺を垂直方向の基準ユニットにする。全体制御コントローラ２３は、各行の代表ユニット（右辺）から隔たり測定の問い合せコマンドを発行させ、各行の垂直報告の並びが決定する。これを整理し、全体制御コントローラ２３は、表示ユニット２８に対して正式に識別子を割付けていく。
【００８４】
以上の処理により、全体制御コントローラ２３は、表示ユニット２８が組合わされている形状（横ｎ個×縦ｍ個）と、それぞれの表示ユニット２８がどこの位置に結合されているかと、を検出することができる。
【００８５】
ステップｓ２５１において、全体制御コントローラ２３は、各表示ユニット２８との間で認証を行なう。ステップｓ２５２において、全体制御コントローラ２３は、各表示ユニット２８の認証結果に基づき、不適合の（認証に失敗した）表示ユニット２８を迂回するようにデータ伝送路のルーティングを決定する。
【００８６】
ステップｓ２５３において、全体制御コントローラ２３は、各表示ユニット２８にインタフェーススイッチ６４を切り換えるコマンドを送り、データ伝送路のルーティングを設定する。ステップｓ２５４では、全体制御コントローラ２３は、各表示ユニット２８との間で暗号鍵の交換と、設定とを行なう。
【００８７】
続くステップｓ２５５において、全体制御コントローラ２３は、コンテンツサーバ２１との認証を行なう。全体制御コントローラ２３は、ＤＴＣＰ−ＩＰ等、コンテンツサーバ２１との間で規定された認証手続きに従って認証処理を行なう。ステップｓ２５６において、全体制御コントローラ２３は、コンテンツサーバ２１との暗号鍵の交換と設定を行なう。ステップｓ２５７において、全体制御コントローラ２３は、コンテンツサーバ２１に対して画像データストリームの送付要求を行ない、図１３に示す処理を終了する。
【００８８】
図１３に示される処理によって、全体制御コントローラ２３は、表示開始時に、不正利用の可能性のあるデバイス（表示ユニット２８）を取り除いてから、サーバ認証処理を行なうことができる。
【００８９】
上述したように本実施形態によれば、認証不成功な表示ユニット２８の表示を禁止することで、コンテンツサーバ２１等を何ら変更することなく確実なデータ保護ができる。特に、本実施形態の場合、表示禁止するのは認証不成功な表示ユニット２８だけで済むので、ユーザの見づらさを最小限度に抑えることができる。
【００９０】
なお、実施形態２においても、実施形態１で説明したように、表示ユニット２８をグループ化して表示禁止するようにしてもよい。グループ化の形状は任意のものでよい。表示禁止されたときのユーザの見づらさを低減するように、市松状やランダムな結合としてもよい。
【００９１】
また、認証不成功の表示ユニット２８の位置に応じて、禁止処理を切り替えるようにしてもよい。例えば、全体制御コントローラ２３は、認証不成功の表示ユニット２８が、画面の中央付近に位置する場合は、上述した実施形態２に示したようにデータ伝送路を迂回させるように設定する。そして、全体制御コントローラ２３は、認証不成功の表示ユニット２８が、上端や下端に位置する場合はグループ単位で表示禁止するようにしてもよい。
【００９２】
また、上述した各実施形態では、単一の画像ストリームの場合を例に説明を行なったが、複数ストリームの場合も処理は同様である。このような場合、マルチディスプレイシステム２２では、画像はピクチャインピクチャやサイドバイサイド等のレイアウトで表示される。また、このような場合、全体制御コントローラ２３は、ストリームの表示領域を担当する表示ユニット２８に対してのみ、上述したような認証処理を行なうようにしてもよい。
【００９３】
また、全体制御コントローラ２３は、認証不成功の表示ユニット２８の有無、又は数に応じて、コンテンツサーバ２１と認証するレベルを変えるようにしてもよい。例えば、認証不成功の表示ユニット２８がない場合、全体制御コントローラ２３は、機密レベルのコンテンツまでを表示する。一方、認証不成功のユニットがある場合、全体制御コントローラ２３は、通常レベルのコンテンツしか表示しないようにしてもよい。ＤＴＣＰ−ＩＰ規格では完全認証と、制限認証との２レベルが規定されているから、全体制御コントローラ２３及びコンテンツサーバ２１は、この認証レベルを切り換えるようにしてもよい。
【００９４】
また、認証不成功の表示ユニット２８がある場合、全体制御コントローラ２３は、認証不成功の表示ユニット２８の個数と、位置とをコンテンツサーバ２１に通知するようにしてもよい。表示しない領域のデータをコンテンツサーバ２１側で取り去っておくことで、伝送データ量を削減することができる。また、コンテンツサーバ２１側で、不成功の表示ユニット２８の個数と、位置とに基づいて、表示領域の形状を判断し、著作物コンテンツの一貫性が保てないと判断した場合、コンテンツデータの供給を停止するようにしてもよい。
【００９５】
また、上述した実施形態では、表示ユニット２８を接続する伝送路に有線ネットワークを用いた例で説明を行なったが、バス形式であってもよいし、任意の伝送方法であってよい。また、表示に必要な帯域を確保するようにして、表示ユニット２８を接続する伝送路として、無線通信を用いてもよい。
【００９６】
また、上述した実施形態では、マルチディスプレイシステム２２に、表示ユニット２８とは別に、全体制御コントローラ２３を設けて全体を制御する構成を説明したが、全体制御コントローラ２３を設けない構成としてもよい。例えば、表示ユニット２８の何れかが、マルチディスプレイシステム２２全体の制御を担当するようにしてもよい。どの表示ユニット２８がマルチディスプレイシステム２２全体の制御を担当するかは、ランダムに決定してもよいし、起動順序、ＩＤ番号等で決定してもよい。また、外部インタフェースが接続される表示ユニット２８が担当してもよいし、表示面で特定位置（例えば左下角、下辺中央等）にある表示ユニット２８が担当するようにしてもよい。
【００９７】
また、サーバ制御や暗号処理、圧縮デコードや各種画像処理は、各表示ユニット２８の制御部（例えば、全体制御部２７）で分担して行なうようにしてもよい。制御部をコンフィギュラブルに構成しておけば、任意の割付けで分散処理を行なうことができる。
【００９８】
また、上述した実施形態では、表示パネル４５と、パネル制御部４４とを含めて表示ユニット２８を構成した。しかし、表示パネル４５を含まず、表示ユニット２８を構成してもよい。この場合は、表示面は所定のサイズで固定になるが、パネル制御部４４の増減が可能になる。上述したように、各段階の処理を複数の制御部で分散して行なう場合、パネル制御部４４の追加によってより高性能な表示処理が可能となる。
【００９９】
また、上述した実施形態では各表示ユニット２８の間を物理的に結合したが、物理的に結合しなくともよい。表示ユニット２８をそれぞれ近傍に設置し、無線通信でデータ伝送を行なうよう構成することによっても、マルチディスプレイシステム２２は構成することができる。
【０１００】
以上、上述した各実施例によれば、サーバの構成や、サーバとの伝送路を何ら変更することなく確実にコンテンツデータを保護することができる。
【０１０１】
以上、本発明の好ましい実施形態について詳述したが、本発明は係る特定の実施形態に限定されるものではなく、特許請求の範囲に記載された本発明の要旨の範囲内において、種々の変形・変更が可能である。
【図面の簡単な説明】
【０１０２】
【図１】マルチディスプレイシステムの表示画面の一例を示す図である。
【図２】実施形態１におけるマルチディスプレイシステム２２の概略構成を示すブロック図である。
【図３】全体制御コントローラ２３の概略構成を示すブロック図である。
【図４】実施形態１における表示ユニット２８の概略構成を示すブロック図である。
【図５】実施形態１における認証処理の流れを示すフローチャートである。
【図６】表示ユニット挿入時の再認証処理の流れを示すフローチャートである。
【図７】表示ユニット抜去時の再認証処理の流れを示すフローチャートである。
【図８】表示ユニット２８のインタフェース機構８１の概略構成を示すブロック図である。
【図９】表示ユニット２８の結合の様子を示す図である。
【図１０】実施形態２における表示ユニット２８の概略構成を示すブロック図である。
【図１１】マルチディスプレイシステム２２の伝送路の一例を示す図である。
【図１２】認証不適合の表示ユニットが存在した場合のマルチディスプレイシステム２２の伝送路の一例を示す図である。
【図１３】実施形態２における認証処理の流れを示すフローチャートである。
【符号の説明】
【０１０３】
２０    ネットワーク
２１    コンテンツサーバ
２２    マルチディスプレイシステム
２３    全体制御コントローラ
２８    表示ユニット
【図１】
2007193135.tif 000003
【図２】
2007193135.tif 000004
【図３】
2007193135.tif 000005
【図４】
2007193135.tif 000006
【図５】
2007193135.tif 000007
【図６】
2007193135.tif 000008
【図７】
2007193135.tif 000009
【図８】
2007193135.tif 000010
【図９】
2007193135.tif 000011
【図１０】
2007193135.tif 000012
【図１１】
2007193135.tif 000013
【図１２】
2007193135.tif 000014
【図１３】
2007193135.tif 000015